(57)【特許請求の範囲】
【請求項１】
箱状の作業空間を形成するものであり、前面に作業手の挿入部が設けられた本体ケースと、
前記本体ケース内を照明する照明装置と、
前記本体ケース内の空調を行う空調装置と、を備え、
前記照明装置は、前記本体ケース内に略直線状に配列された複数の点光源を有し、
前記本体ケースは、背面板又は底面板を有し、前記背面板又は前記底面板の少なくとも一方は、金属板で構成され、
金属板で構成された背面板又は底面板の圧延方向は、前記複数の点光源の配列方向と略直交する方向である、
アイソレータ。
【請求項２】
前記本体ケース内の背面板は、金属板で構成された、
請求項１に記載のアイソレータ。
【請求項３】
前記複数の点光源は、ＬＥＤ照明である、
請求項１又は２に記載のアイソレータ。
【請求項４】
前記複数の点光源は、前記本体ケース内の上部前方側に配列された、
請求項１から３のいずれか一項に記載のアイソレータ。
【請求項５】
前記複数の点光源は、水平方向に所定の間隔を隔てて配列された、
請求項１から４のいずれか一項に記載のアイソレータ。
【請求項６】
箱状の作業空間を形成するものであり、前面に作業手の挿入部が設けられた本体ケースと、
前記本体ケース内を照明する照明装置と、
前記本体ケース内の空調を行う空調装置と、を備え、
前記照明装置は、前記本体ケース内に略直線状に配列された複数の点光源を有し、
前記本体ケースは、背面板又は底面板を有し、前記背面板又は前記底面板の少なくとも一方は、金属板で構成され、
金属板で構成された背面板又は底面板の圧延方向は、前記複数の点光源の配列方向と略直交する方向である、
クリーンベンチ。
【請求項７】
前記本体ケース内の背面板は、金属板で構成された、
請求項６に記載のクリーンベンチ。
【請求項８】
前記複数の点光源は、ＬＥＤ照明である、
請求項６又は７に記載のクリーンベンチ。
【請求項９】
前記複数の点光源は、前記本体ケース内の上部前方側に配列された、
請求項６から８のいずれか一項に記載のクリーンベンチ。
【請求項１０】
前記複数の点光源は、水平方向に所定の間隔を隔てて配列された、
請求項６から９のいずれか一項に記載のクリーンベンチ。
【請求項１１】
箱状の作業空間を形成するものであり、前面に作業手の挿入部が設けられた本体ケースと、
前記本体ケース内を照明する照明装置と、
前記本体ケース内の空調を行う空調装置と、を備え、
前記照明装置は、前記本体ケース内に略直線状に配列された複数の点光源を有し、
前記本体ケースは、背面板又は底面板を有し、前記背面板又は前記底面板の少なくとも一方は、金属板で構成され、
金属板で構成された背面板又は底面板の圧延方向は、前記複数の点光源の配列方向と略直交する方向である、
キャビネット。
【請求項１２】
前記本体ケース内の背面板は、金属板で構成された、
請求項１１に記載のキャビネット。
【請求項１３】
前記複数の点光源は、ＬＥＤ照明である、
請求項１１又は１２に記載のキャビネット。
【請求項１４】
前記複数の点光源は、前記本体ケース内の上部前方側に配列された、
請求項１１から１３のいずれか一項に記載のキャビネット。
【請求項１５】
前記複数の点光源は、水平方向に所定の間隔を隔てて配列された、
請求項１１から１４のいずれか一項に記載のキャビネット。
【発明の詳細な説明】
【技術分野】
【０００１】
本開示は、実験環境機器に用いられるアイソレータ、クリーンベンチ及びキャビネットに関する。
【背景技術】
【０００２】
例えば、特許文献１は、区画された空間内を清浄な環境に保つクリーンベンチを開示する。このクリーンベンチは、前面に作業手の挿入部が設けられた箱状の本体ケースと、本体ケース内を照明する照明手段と、本体ケース内の空調を行う空調手段と、を備える。
【先行技術文献】
【特許文献】
【０００３】
【特許文献１】特開２００５−４８９７１号公報
【発明の概要】
【発明が解決しようとする課題】
【０００４】
アイソレータ、クリーンベンチ及びキャビネット（以下、「アイソレータ等」という）は、作業者が照明手段で照明された本体ケース内に手を入れて作業する際に用いられる。また、アイソレータ等は本体ケース内を清浄又は無菌にする必要があるため、本体ケース内部に、清掃や消毒のしやすいステンレス鋼板等が用いられることが多い。【０００５】
しかしながら、例えば、上記のアイソレータ等は、本体ケース内の背面板に照明手段が配置されているため、作業台となる本体ケース内の底面板に照明手段からの光が作業者の目に映り、作業性が悪くなっていた。【０００６】
そこで、本開示は、作業性を向上させたアイソレータ等を提供する。
【課題を解決するための手段】
【０００７】
本開示におけるアイソレータ等は、箱状の作業空間を形成するものであり、前面に作業手の挿入部が設けられた本体ケースと、前記本体ケース内を照明する照明装置と、前記本体ケース内の空調を行う空調装置と、を備え、前記照明装置は、前記本体ケース内に略直線状に配列された複数の点光源を有し、前記本体ケースは、背面板又は底面板を有し、前記背面板又は前記底面板の少なくとも一方は、金属板で構成され、金属板で構成された背面板又は底面板の圧延方向は、前記複数の点光源の配列方向と略直交する方向である。
【発明の効果】
【０００８】
すなわち、本開示におけるアイソレータ等は、略直線状に配列された複数の光源の配列方向に対して、金属板で構成された背面板又底面板の少なくとも一方の圧延方向を略直交させている。これにより、背面板又は底面板に映る複数の光源を目視した場合に、複数の光源の反射が配列方向の一列のみとなるため、作業性を向上させることができる。
【図面の簡単な説明】
【０００９】
【図１】実施の形態１におけるアイソレータシステムの正面図
【図２】実施の形態１におけるアイソレータシステムの斜視図
【図３】実施の形態１におけるアイソレータシステムの斜視図
【図４】実施の形態１における第１のチャンバーユニット及びパスボックスユニット    の正面図
【図５】図４における５−５断面図
【図６】図４における６−６断面図
【図７】実施の形態１における照明部による反射を示す図
【図８】比較例における照明部による反射を示す図
【図９】他の実施の形態におけるバイオハザード対策用キャビネットを示す断面図
【図１０】他の実施の形態におけるクリーンベンチを示す断面図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者らは、当業者が本開示を十分に理解するために添付図面および以下の説明を提供するのであって、これらによって特許請求の範囲に記載の主題を限定することを意図するものではない。
【００１２】
（実施の形態１）
以下、アイソレータ等を有する実験環境機器の一例としてアイソレータシステム１００について、図１〜８を用いて説明する。
【００１３】
実施の形態１におけるアイソレータシステム１００は、滅菌された環境で、例えば細胞の培養、操作、観察等の作業を行うための装置である。尚、滅菌とは、微生物や細胞等を殺菌して無菌に近づけることを示すものとする。
【００１４】
なお、本実施形態において、Ｚ軸は、アイソレータシステム１００が立設する垂直方向に沿う軸であり、上側に向かう方向を＋Ｚ方向とし、下側（下方）に向かう方向を−Ｚ方向とする。Ｙ軸は、アイソレータシステム１００の正面と背面とに直交する方向に沿う軸であり、作業空間の内部で作業を行うための開口が設けられた正面から、正面とは反対側の背面に向かう方向を−Ｙ方向とし、背面から正面に向かう方向を＋Ｙ方向とする。Ｘ軸は、正面から見て左右の側面に直交する方向に沿う軸であり、正面から見て左側面から右側面へ向かう方向を＋Ｘ方向とし、右側面から左側面に向かう方向を−Ｘ方向とする。
【００１５】
［１−１．構成］
図１は、実施の形態１におけるアイソレータシステム１００の正面図である。図２、３は、実施の形態１におけるアイソレータシステム１００の斜視図であり、開閉状態を示す。
【００１６】
図１に示すように、実施の形態１におけるアイソレータシステム１００は、第１アイソレータ１１０と、第２アイソレータ１３０と、パスボックス１５０と、インキュベータ１７０と、を備え、各装置は気密状態で連結されている。
【００１７】
図２に示すように、第１アイソレータ１１０は、本体ケース１１１と、照明部１２０（図７、８参照）と、空調部１１６（空調装置）と、制御部１１９と、を有する。
【００１８】
本体ケース１１１は、前面板１１２、作業台にあたる底面板１１４、背面板１１７、上面板１１８、及び、左右の側面板１２３で構成され、箱状の作業空間を形成する。本体ケース１１１は、例えば直方体状の箱体により、外部からの菌の侵入が抑制された空間として区画される。第１アイソレータ１１０では、底面板１１４、背面板１１７、上面板１１８、及び、左右の側面板１２３は、清掃や消毒のしやすいステンレス鋼板で構成されている。
【００１９】
前面板１１２は、ガラス板で構成され、前面に作業手の挿入部である複数の開口１１３が設けられている。複数の開口１１３のそれぞれには、グローブ（図示せず）が装着される。左右の側面板１２３には、パスボックス１５０やインキュベータ１７０を装着するための開口が設けられている。第１アイソレータ１１０では、右側面板１２３ａの開口にパスボックス１５０が装着され、パスボックス１５０の取出口１５３の扉が右側面の一部を構成する。また、左側面板１２３ｂの開口にインキュベータ１７０が装着され、インキュベータ１７０の取出口の扉が左側面の一部を構成する。作業時において、作業者は、グローブを介して本体ケース１１１内で作業を行う。上面板１１８には、作業で用いられるものを吊り下げる吊下棒１２２（図６参照）が設けられている。
【００２０】
照明部１２０は、本体ケース１１１内を照明するために、本体ケース１１１内に設けられる。アイソレータシステム１００では、照明部１２０は、第１本体ケース１１１内の上部前方側に水平方向に配置されている。詳細は、後述する。
【００２１】
空調部１１６は、本体ケース１１１内の空調を行うために、本体ケース１１１の上部に設けられる。空調部１１６は、本体ケース１１１内の上面板１１８に設けられた気体供給口（図示せず）と、底面板１１４の正面側と背面側に設けられた気体排出口１１５とを有する。本体ケース１１１内には気体供給口から空気が供給され、気体排出口１１５から空気が排出される。一般にアイソレータでは、本体ケース内の無菌環境を確保するために、気体供給口にＨＥＰＡ（Ｈｉｇｈ−Ｅｆｆｉｃｉｅｎｃｙ  Ｐａｒｔｉｃｕｌａｔｅ  Ａｉｒ ｆｉｌｔｅｒ）などのフィルタが設けられ、フィルタを介して空気が本体ケース内に供給される。また、気体排出口にもフィルタが設けられ、作業室内の空気はフィルタを介して本体ケースから排出される。また、アイソレータでは、過酸化水素などの滅菌物質を本体ケース内に噴霧し、本体ケース内を滅菌する滅菌処理が実行される。
【００２２】
制御部１１９は、空調部１１６や温度制御部などを制御するために、本体ケース１１１の上部に設けられる。
【００２３】
第１アイソレータ１１０は、その他に観察装置や遠心分離機などの実験に必要な装置を備えている。
【００２４】
図２、図３に示すように、第２アイソレータ１３０の構成は、装着される各種装置の違いやそれらの位置の違いによって、第１アイソレータ１１０の構成と相違するが、基本的な構成は同様であるため、説明は省略する。
【００２５】
パスボックス１５０は、作業者が外部から第１アイソレータ１１０や第２アイソレータ１３０の内部に作業物を入れるために設けられる。また、作業者が第１アイソレータ１１０と第２アイソレータ１３０との間で作業物を移動させるために設けられる。パスボックス１５０は、作業物を一時的に保管する空間を形成する箱状の受渡ケース１５１を備える。受渡ケース１５１の正面には、挿入口１５２が設けられ、挿入口１５２の扉によって外部と内部とを隔てている。また、受渡ケース１５１の左右の側面には、取出口１５３、１５４が設けられている。取出口１５３は、第１アイソレータ１１０の側面に装着され、パスボックス１５０と第１アイソレータ１１０とを連通させている。同様に取出口１５４は、第２アイソレータ１３０の側面に装着され、パスボックス１５０と第２アイソレータ１３０とを連通させている。取出口１５３、１５４には、それぞれ開閉可能な扉が取り付けられており、例えば取出口１５３の扉は、受渡ケース１５１内の空間と第１本体ケース１１１内の空間とを隔てている。
【００２６】
インキュベータ１７０は、内部に収容室（図示せず）を備える。この収容室は、培養物を収容する室であり、例えば直方体状の箱体によって外部からの菌の侵入が抑制される空間として区画される。本実施形態において、収容室はステンレス鋼板によって区画されている。インキュベータ１７０は、第１アイソレータ１１０に対して着脱可能に構成されている。これにより、インキュベータ１７０毎に培養物の管理ができる。例えば、ドナー毎に専用のインキュベータ１７０を使用することにより、培養物の取り違え等の不具合を抑制できる。
【００２７】
［１−２．本開示の特徴的な構成］
図４は、実施の形態１における第１アイソレータ１１０及びパスボックス１５０の正面図である。図５は、図４における５−５断面図であり、図６は、図４における６−６断面図である。なお、ここでは、説明の便宜上、第１アイソレータ１１０を用いて、本開示の特徴的な構成を説明するが、この構成は、第２アイソレータ１３０にも適用している。
【００２８】
図５、６に示すように、本実施の形態では、照明部１２０は、第１本体ケース１１１内を照明するために、第１本体ケース１１１内の上部前方側に設けられ、光源には、発光ダイオード（ＬＥＤ）が用いられている。照明部１２０は、水平方向、つまりＸ軸に平行に配列された複数のＬＥＤ１２１で構成されている。複数のＬＥＤ１２１は、水平方向に所定の間隔を隔てて配列されている。複数のＬＥＤ１２１は、複数のＬＥＤ１２１夫々の光軸が例えば底面板１１４の略中央に向けられるように設けられている。この構成により、例えば底面板１１４上に設けられた作業対象物に対してＬＥＤ１２１から出射されるレーザ光を確実に照射することができる。尚、例えば、複数のＬＥＤ１２１は、複数のＬＥＤ１２１夫々の光軸が例えば背面板１１７に向けられるように設けられることとしてもよい。この場合、背面板１１７で反射された複数のＬＥＤ１２１の反射光が、底面板１１４上に設けられた作業対象物に照射されることになる。つまり、この場合、グローブを介して第１本体ケース１１１内に挿入された作業者の手の下側（−Ｚ）に作業対象物が設けられる際も、当該作業対象物を確実に照らすことができる。
【００２９】
また、本実施の形態では、底面板１１４、背面板１１７、上面板１１８及び側面板１２３は、ステンレス鋼板で構成されている。そして、底面板１１４、背面板１１７及び上面板１１８の圧延方向は、複数のＬＥＤ１２１の配列方向、つまりＸ軸と直交する方向である。具体的には、底面板１１４と上面板１１８の圧延方向は、Ｙ軸に平行な方向であり、背面板１１７の圧延方向は、Ｚ軸と平行な方向である。尚、圧延方向とは、複数のローラー間を通されることで板状に加工される金属板の長さ方向であり、ローラーの回転方向でもある。
【００３０】
［１−３．効果等］
上述した本開示の特徴的な構成の効果について、図７、８を用いて説明する。図７は、実施の形態１における照明部１２０による反射Ｒを示す図であり、図８は、比較例における照明部１２０による反射Ｒを示す図である。
【００３１】
本実施の形態において、第１アイソレータ１１０は、前面に作業手の挿入部として開口１１３が設けられた箱状の第１本体ケース１１１と、第１本体ケース１１１内を照明する照明部１２０と、第１本体ケース１１１内の空調を行う空調部１１６と、を備える。照明部１２０は、第１本体ケース１１１内に略直線状に配列された複数のＬＥＤ１２１を有し、第１本体ケース１１１内の背面板１１７及び底面板１１４は、ステンレス鋼板で構成され、背面板１１７又は底面板１１４の圧延方向は、複数のＬＥＤ１２１の配列方向と直交する方向である。
【００３２】
すなわち、本開示における第１アイソレータ１１０は、複数のＬＥＤ１２１がＸ軸と平行な方向に配列され、背面板１１７の圧延方向がＺ軸と平行な方向、底面板１１４の圧延方向がＹ軸と平行な方向である。
【００３３】
これにより、作業者が背面板１１７又は底面板１１４に映る複数のＬＥＤ１２１を目視した場合に、複数のＬＥＤ１２１の反射Ｒが配列方向（Ｘ軸と平行な方向）の一列に繋がって見える。例えば、背面板１１７に映るＬＥＤ１２１を目視した場合のＬＥＤ１２１の反射Ｒは、図７に示すように、背面板１１７の上部にＸ軸と平行な一列となる。そのため、背面板１１７で反射したＬＥＤ１２１の光が、作業者の目に直接映り込むことが抑制される。このように、第１アイソレータ１１０は、背面板１１７又は底面板１１４で反射する複数のＬＥＤ１２１の光を抑制することができるため、作業性を向上させることができる。
【００３４】
一方、複数のＬＥＤ１２１の配列方向と背面板１１７又は底面板１１４の圧延方向とを平行にした場合、複数のＬＥＤ１２１が複数の列となった縞状に映る。例えば、そのように構成した背面板１１７に映るＬＥＤ１２１を目視した場合のＬＥＤ１２１の反射Ｒは、図８に示すように、背面板１１７の上部から下部にかけて、つまりＺ軸に平行な複数の列が縞状に映る。そのため、ＬＥＤ１２１の光があたかも背面板１１７の前面で反射しているかのように映り、作業性が非常に悪くなる。
【００３５】
このように、本開示の第１アイソレータ１１０は、照明部１２０の光が作業者の目に直接映り込むことを抑制できるため、作業性を向上させることができる。
【００３６】
なお、ここでは第１アイソレータ１１０で説明したが、第２アイソレータ１３０にこの構成を用いた場合も同様の効果が生じる。
【００３７】
また、ＬＥＤ１２１の反射光は背面板１１７から作業者の目に映りやすいので、第１本体ケース１１１内の背面板１１７が金属板で構成された場合に、背面板１１７の圧延方向を複数のＬＥＤ１２１の配列方向と略直交されると効果的である。底面板１１４も同様である。
【００３８】
また、寿命が長いので、複数の光源にはＬＥＤを用いると効果的である。
【００３９】
また、複数の光源は、第１本体ケース１１１内の上部前方側に配列されると、第１本体ケース１１１内全体を照明でき、かつ、作業者の視野に入りにくいため、効果的である。      
【００４０】
さらに、複数の光源は、水平方向に所定の間隔を隔てて配列されると、第１本体ケース１１１内をより均一に照明できるため、効果的である。
【００４１】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００４２】
そこで、以下、他の実施の形態をまとめて説明する。
【００４３】
実施の形態１では、アイソレータを有する実験環境機器の一例としてアイソレータシステム１００を説明した。アイソレータを有する実験環境機器としてアイソレータシステム１００を用いれば、作業性を向上させることができる。しかし、本開示技術は、これに限定されない。例えばアイソレータを有する実験環境機器として、第２アイソレータ１３０を有さない第１アイソレータ１１０とパスボックス１５０とインキュベータ１７０とで構成されたアイソレータシステムに用いてもよい。
＜バイオハザード対策用キャビネット＞
また、キャビネットを有する実験環境機器の一例として、本体ケース２０１内を陰圧にするバイオハザード対策用キャビネット２００（図９）に用いてもよい。図９は、他の実施の形態におけるバイオハザード対策用キャビネット２００を示す断面図である。
【００４４】
バイオハザード対策用キャビネット２００（単に「キャビネット２００」とも称する）は、本体ケース２０１、前面パネル２１２、前面開口部２１３、作業台前部吸気口２４、底面板２１４、背面側吸引口２５、背面板２１７、循環気用フィルタ２３、送風機２１、排気用フィルタ２２、汚染プレナ２２１、照明部２２０（照明装置）を有する。
【００４５】
本体ケース２０１は、前面側（＋Ｙ）に作業者の手（作業手）を挿入するための前面開口部２１３を有する箱状のケースである。
【００４６】
送風機２１は、図９の白抜き矢印によって矢示されている向きの気流を発生させ、キャビネット２００の空調装置としての機能を発揮する。
【００４７】
照明部２２０は、実施の形態１における照明部１２０と構成が同様な照明装置である。つまり、照明部２２０は、複数の点光源としての複数のＬＥＤ（不図示）を有している。複数のＬＥＤは、本体ケース２０１内に上部（＋Ｚ）前方側（＋Ｙ）においてＸ軸（水平方向）に沿って略直線状に配列されている。更に、これら複数のＬＥＤは、水平方向に所定の間隔を隔てて配列されている。
【００４８】
底面板２１４は、キャビネット２００の作業台としての機能を発揮する。尚、底面板２１４は、実施の形態１における底面板１１４と構成が同様な金属製の板部材である。つまり、底面板２１４は、底面板２１４の圧延方向が複数のＬＥＤの配列方向（Ｘ軸）と略直交する方向（Ｙ軸）となるように設けられている。
【００４９】
背面板２１７は、実施の形態１における背面板１１７と構成が同様な金属製の板部材である。つまり、背面板２１７は、背面板２１７の圧延方向が複数のＬＥＤの配列方向（Ｘ軸）と略直交する方向（Ｚ軸）となるように設けられている。
【００５０】
尚、例えば、底面板２１４の圧延方向がＬＥＤの配列方向と略直交する方向となり、且つ、背面板２１７の圧延方向がＬＥＤの配列方向となるように、底面板２１４及び背面板２１７が設けられていることとしてもよい。又、例えば、底面板２１４の圧延方向がＬＥＤの配列方向となり、且つ、背面板２１７の圧延方向がＬＥＤの配列方向と略直交する方向となるように、底面板２１４及び背面板２１７が設けられていることとしてもよい。
＜クリーンベンチ＞
また、クリーンベンチを有する実験環境機器の一例として、本体ケース内３０１を陽圧にした一般的なクリーンベンチ３００（図１０）に用いてもよい。図１０は、他の実施の形態におけるクリーンベンチ３００を示す断面図である。
【００５１】
クリーンベンチ３００は、本体ケース３０１、前面パネル３１２、前面開口部３１３、底面板３１４、背面板３１７、送風機３１、プレフィルタ３２、フィルタ３３、照明部３２０（照明装置）を有する。
【００５２】
本体ケース３０１は、前面側（＋Ｙ）に作業者の手（作業手）を挿入するための前面開口部３１３を有する箱状のケースである。
【００５３】
送風機３１は、図１０の白抜き矢印によって矢示されている向きの気流を発生させ、クリーンベンチ３００の空調装置としての機能を発揮する。
【００５４】
照明部３２０は、実施の形態１における照明部１２０と構成が同様な照明装置である。つまり、照明部３２０は、複数の点光源としての複数のＬＥＤ（不図示）を有している。複数のＬＥＤは、本体ケース３０１内に上部（＋Ｚ）前方側（＋Ｙ）においてＸ軸（水平方向）に沿って略直線状に配列されている。更に、これら複数のＬＥＤは、水平方向に所定の間隔を隔てて配列されている。
【００５５】
底面板３１４は、クリーンベンチ３００の作業台としての機能を発揮する。尚、底面板３１４は、実施の形態１における底面板１１４と構成が同様な金属製の板部材である。つまり、底面板３１４は、底面板３１４の圧延方向が複数のＬＥＤの配列方向（Ｘ軸）と略直交する方向（Ｙ軸）となるように設けられている。
【００５６】
背面板３１７は、実施の形態１における背面板１１７と構成が同様な金属製の板部材である。つまり、背面板３１７は、背面板３１７の圧延方向が複数のＬＥＤの配列方向（Ｘ軸）と略直交する方向（Ｚ軸）となるように設けられている。
【００５７】
尚、例えば、底面板３１４の圧延方向がＬＥＤの配列方向と略直交する方向となり、且つ、背面板３１７の圧延方向がＬＥＤの配列方向となるように、底面板３１４及び背面板３１７が設けられていることとしてもよい。又、例えば、底面板３１４の圧延方向がＬＥＤの配列方向となり、且つ、背面板３１７の圧延方向がＬＥＤの配列方向と略直交する方向となるように、底面板３１４及び背面板３１７が設けられていることとしてもよい。
【００５８】
要するに、本開示技術は、箱状の本体ケース内に作業手を挿入して、本体ケース内で作業を行い実験環境装置に用いられると効果的である。
【００５９】
実施の形態１では、第１本体ケース１１１内を構成する金属板の一例としてステンレス鋼板を用いた。金属板としてステンレス鋼板を用いれば、滅菌消毒をしやすいため効果的である。しかし、本開示の技術は、これに限定されない。例えば、金属板として、アルミ鋼板や鉄鋼板等を用いてもよい。要するに、本開示技術は、圧延加工された金属板を用いる場合に効果的である。
【００６０】
実施の形態１では、第１本体ケース１１１内を構成する金属板の圧延方向の一例として、背面板１１７及び底面板１１４の圧延方向を、複数のＬＥＤ１２１の配列方向と直交する方向に配列した。背面板１１７及び底面板１１４は、作業時に作業者の目に映りやすい箇所であるため、背面板１１７及び底面板１１４の両方の圧延方向を、複数のＬＥＤ１２１の配列方向と直交する方向に構成すれば、作業性を向上させることに有効である。しかし、本開示の技術は、これに限定されない。例えば、背面板１１７のみ、又は、底面板１１４のみの圧延方向を複数のＬＥＤ１２１の配列方向と直交する方向に構成しても効果的である。さらには、この構成を側面板１２３や上面板１１８に用いても効果的である。
【００６１】
実施の形態１では、照明装置の一例として複数のＬＥＤ１２１を説明した。複数の光源としてＬＥＤ１２１を用いれば、寿命が長いので効果的である。しかし、複数の光源は、これに限定されない。例えば、電球や蛍光灯などを光源として複数配列してもよい。照明装置として電球や蛍光灯などを用いれば、コスト低減などの効果がある。要するに、照明装置は、複数の光源が略直線状に配列された場合に本開示技術が効果的である。
【００６２】
実施の形態１では、照明装置の一例として複数のＬＥＤ１２１を第１本体ケース１１１内の上部前方側に水平方向（Ｘ軸と平行方向）に配列した。この構成により、第１本体ケース１１１内全体を照明でき、かつ、作業者の視野に入りにくいため、効果的である。しかし、複数の光源の配列位置は、第１本体ケース１１１内の上部前方側に限られない。例えば、左右の前方側にそれぞれ略垂直方向（略Ｚ軸と平行方向）に配列されてもよい。その場合は、背面板１１７の圧延方向を水平方向（Ｘ軸と平行方向）に構成することで、作業性を向上させることができる。ここで、照明装置は、前方側に設けられると、作業者の目に直接映り込むことを抑制できるため、効果的である。
【００６３】
さらに、複数の光源は、水平方向に所定の間隔を隔てて配列されると、第１本体ケース１１１内をより均一に照明できるため、効果的である。
【００６４】
以上のように、本開示における技術の例示として、実施の形態を説明した。そのために、添付図面および詳細な説明を提供した。
【００６５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６６】
また、上述の実施の形態は、本開示における技術を例示するためのものであるから、特許請求の範囲またはその均等の範囲において種々の変更、置き換え、付加、省略などを行うことができる。
【産業上の利用可能性】
【００６７】
本開示は、箱状の実験環境に作業手を挿入して作業を行うクリーンベンチ及びアイソレータに適用可能である。
【符号の説明】
【００６８】
１００  アイソレータシステム
１１０  第１アイソレータ
１１１  第１本体ケース
１１２  前面板
１１３  開口
１１４  底面板
１１５  気体排出口
１１６  空調部
１１７  背面板
１１８  上面板
１１９  制御部
１２０  照明部
１２１  ＬＥＤ
１２２  吊下棒
１２３  側面板
１３０  第２アイソレータ
１５０  パスボックス
１５１  受渡ケース
１５２  挿入口
１５３  取出口
１５４  取出口
１７０  インキュベータ
【図１】
0005890066.tif 000002
【図２】
0005890066.tif 000003
【図３】
0005890066.tif 000004
【図４】
0005890066.tif 000005
【図５】
0005890066.tif 000006
【図６】
0005890066.tif 000007
【図７】
0005890066.tif 000008
【図８】
0005890066.tif 000009
【図９】
0005890066.tif 000010
【図１０】
0005890066.tif 000011